(57)【要約】【課題】  収容物の収容に留まらず、該収容物を置くための置き皿としても使用することができる収容容器を提供する。【解決手段】  収容容器１０の容器本体１１は、底壁１２と、第１側壁１３及び第２側壁１４とを有し、第１側壁１３には挿入部２１が設けられ、第２側壁１４には孔部２２が設けられ、孔部２２に該挿入部２１が挿入されることで第１側壁１３及び第２側壁１４が繋がり、該孔部２２の内側で該挿入部２１が摺動自在とされ、かつ該孔部２２からの該挿入部２１の抜け出しを規制する抜出規制手段を設け、第１側壁１３及び第２側壁１４をそれぞれ起きあがらせた状態とした容器形態と、第１側壁１３及び第２側壁１４の間を広げた状態の皿形態との２形態を取り得るように構成している。【選択図】      図１
0003131672.tif 000002
【実用新案登録請求の範囲】
【請求項１】
収容物を収容するための容器本体を備える収容容器において、
該容器本体は、底壁と、該底壁の周縁に立設された複数の側壁とを有しており、
互いに隣接する側壁の一方には挿入部が設けられ、他方には該挿入部が挿入される孔部が設けられ、該孔部に該挿入部が挿入されることによって、隣接する側壁同士が繋がっているとともに、
該孔部の内側で該挿入部が摺動自在とされ、かつ該孔部からの該挿入部の抜け出しを規制する抜出規制手段を設けることにより、
隣接する側壁同士を近づけて各側壁をそれぞれ起きあがらせた状態とした容器形態と、
隣接する側壁同士を離して各側壁間をそれぞれ広げた状態とした皿形態と
の２形態を取り得るように構成した
ことを特徴とする収容容器。
【請求項２】
該抜出規制手段は、該孔部の内側に設けられた抜止部と、該挿入部に設けられた引掛部とから構成され、該収容容器を皿形態とした場合に該引掛部が該抜止部に引っ掛かるようになっている請求項１に記載の収容容器。
【請求項３】
さらに、該容器本体の開口を塞ぐ蓋体を備えており、
該蓋体の内側で該容器本体の該側壁と当接する部位には、該側壁の外面に圧接される止片が設けられている請求項１又は請求項２に記載の収容容器。
【請求項４】
該容器本体は、所定形状に切り出されたシート材を折ることによって形成されている請求項１から請求項３のうち何れか一項に記載の収容容器。
【請求項５】
該孔部が設けられた該側壁は、シート材の一部を折り重ねて形成されており、
該折り重ねたシート材の一部のうち該容器本体の内側に配置された部位を内壁部とし、該容器本体の外側に配置された部位を外壁部として、該孔部は、該内壁部と該外壁部の間に形成されたものであり、
該内壁部と該外壁部は、それぞれが該底壁に繋がっており、該内壁部が該底壁に繋がる箇所よりも、該外壁部が該底壁に繋がる箇所が該容器本体の内側に位置している請求項４に記載の収容容器。
【考案の詳細な説明】
【技術分野】
【０００１】
本考案は、和菓子、洋菓子、寿司等の食品、装飾品、人形、お香等の小物などを収容するための収容容器に関するものである。
【背景技術】
【０００２】
一般に、上記のような食品、小物などは、例えば特許文献１、２に示すような紙箱からなる収容容器に収容されて搬送、販売等されている。また該収容容器は、包装容器として使用されることも多く、該収容容器に焼物調、金属調、木調、葉調の外観を付与したものも存在する。
【０００３】
【特許文献１】特開２００６−２７６７４号公報
【特許文献２】特開２００６−６２７１３号公報
【考案の開示】
【考案が解決しようとする課題】
【０００４】
ところが、上記従来のような紙箱からなる収容容器は、収容物を収容するという機能しか有しておらず、面白味に欠けており、また収容物を取り出して皿、小箱、収容器等に移し替える必要もある。
本考案は、このような従来技術に存在する問題点に着目してなされたものである。その目的とするところは、収容物の収容に留まらず、該収容物を置くための置き皿としても使用することができる収容容器を提供することにある。
【課題を解決するための手段】
【０００５】
上記の目的を達成するために、請求項１に記載の収容容器の考案は、収容物を収容するための容器本体を備える収容容器において、該容器本体は、底壁と、該底壁の周縁に立設された複数の側壁とを有しており、互いに隣接する側壁の一方には挿入部が設けられ、他方には該挿入部が挿入される孔部が設けられ、該孔部に該挿入部を挿入することによって、隣接する側壁同士を繋げているとともに、該孔部の内側で該挿入部が摺動自在とされ、かつ該孔部からの該挿入部の抜け出しを規制する抜出規制手段を設けることにより、隣接する側壁同士を近づけて各側壁をそれぞれ起きあがらせた状態とした容器形態と、隣接する側壁同士を離して各側壁間をそれぞれ広げた状態とした皿形態との２形態を取り得るように構成したことを要旨とする。
【０００６】
上記構成によれば、容器形態とすることで収容物を収容するという機能を十分に発揮することができる。また互いに隣接する側壁の一方に挿入部を設け、他方に孔部を設け、挿入部を孔部に挿入して側壁同士を繋げるとともに、孔部の内側で挿入部を摺動自在とし、かつ挿入部の抜け出しを規制する抜出規制手段を設けたことにより、隣接する側壁同士は、その繋がりを維持しつつも、それぞれが底壁に対して傾動自在となる。このため、隣接する側壁同士を離して各側壁間をそれぞれ広げた状態とした皿形態とすることができる。その結果、収容容器を容器としてのみならず、皿としても利用することができる。
【０００７】
請求項２に記載の考案は、請求項１に記載の収容容器の考案において、該抜出規制手段は、該孔部の内側に設けられた抜止部と、該挿入部に設けられた被掛部とから構成され、該収容容器を皿形態とした場合に該被掛部が該抜止部に引っ掛かるようになっていることを要旨とする。
上記構成によれば、被掛部が抜止部に引っ掛かるようになっているため、収容容器を皿形態とする際、挿入部の孔部からの抜け出しを好適に抑制することができ、該皿形態を好適に維持することができる。
【０００８】
請求項３に記載の考案は、請求項１又は請求項２に記載の収容容器の考案において、さらに、該容器本体の開口を塞ぐ蓋体を備えており、該蓋体の内側で該容器本体の該側壁と当接する部位には、該側壁の外面に圧接される止片が設けられていることを要旨とする。
上記構成によれば、側壁の外面に圧接される止片を設けたことにより、蓋部を持って収容容器を持ち上げた状態において、容器本体が落下することを抑制することができる。
【０００９】
請求項４に記載の考案は、請求項１から請求項３のうち何れか一項に記載の収容容器の考案において、該容器本体は、所定形状に切り出されたシート材を折ることによって形成されていることを要旨とする。
上記構成によれば、容器本体を簡易かつ安価に製造することができる。
【００１０】
請求項５に記載の考案は、請求項４に記載の収容容器の考案において、該孔部が設けられた該側壁は、シート材の一部を折り重ねて形成されており、該折り重ねたシート材の一部のうち該容器本体の内側に配置された部位を内壁部とし、該容器本体の外側に配置された部位を外壁部として、該孔部は、該内壁部と該外壁部の間に形成されたものであり、該内壁部と該外壁部は、それぞれが該底壁に繋がっており、該内壁部が該底壁に繋がる箇所よりも、該外壁部が該底壁に繋がる箇所が該容器本体の内側に位置していることを要旨とする。
上記構成によれば、内壁部が底壁に繋がる箇所よりも、外壁部が底壁に繋がる箇所が容器本体の内側に位置している。このため、内壁部の底壁に繋がる箇所が、外壁部で底壁に繋がる箇所の近傍を、容器本体の外側へ向かって押している。さらに、外壁部の底壁に繋がる箇所には、該外壁部を引っ張るような張力が生じている。結果、孔部が設けられた側壁は、収容容器を皿形態とした場合、傾いた状態で安定するようになっており、該皿形態を好適に維持することができる。
【考案の効果】
【００１１】
本考案によれば、収容物の収容に留まらず、該収容物を置くための置き皿としても使用することができる。
【考案を実施するための最良の形態】
【００１２】
（第１実施形態）
以下、本考案の収容容器を具体化した第１実施形態について説明する。
図１は、第１実施形態の収容容器を示す斜視図である。収容容器１０は、収容物を収容するための容器本体１１を備えている。該容器本体１１は、底壁１２と、該底壁１２の周縁に立設された各一対の第１側壁１３及び第２側壁１４とを有している。なお、各一対の第１側壁１３及び第２側壁１４は、第１側壁１３同士及び第２側壁１４同士が対向し、かつ第１側壁１３と第２側壁１４が互いに隣接するように配置されている。また第１側壁１３及び第２側壁１４は、底壁１２に対し、それぞれ傾けることができるように繋がっている。
該第１側壁１３の両端には、挿入部２１がそれぞれ設けられている。これに対し、該第１側壁１３に隣接する第２側壁１４の両端には、該挿入部２１が挿入される孔部２２が設けられている。そして、該孔部２２に該挿入部２１が挿入されることにより、隣接する該第１側壁１３と該第２側壁１４は、繋がっている。また、該挿入部２１は、隣接する該第１側壁１３と該第２側壁１４を繋げる一方で、該孔部２２の内側で摺動自在とされている。このため、該挿入部２１は、その一部を該孔部２２の内側から引き出すことができるように構成されている。
【００１３】
図１中の上側に示すように、該容器本体１１は、該挿入部２１のほぼ全てを該孔部２２内に挿入し、隣接する第１側壁１３と第２側壁１４を近づけ、各側壁をそれぞれ起きあがらせた状態とした場合、有底箱状の容器形態となる。この容器形態において、該容器本体１１の内部には、収容物が収容される。
一方、図１中の下側に示すように、該容器本体１１は、該挿入部２１の大半を該孔部２２内から引き出し、隣接する第１側壁１３と第２側壁１４を離して、各側壁間をそれぞれ広げた状態とした場合、浅皿状の皿形態となる。この皿形態において、該容器本体１１の内部には、収容物が載せられる。
該容器本体１１は、使用者の所望に応じて容器形態又は皿形態の２形態のうち何れの形態でも取り得る。すなわち、該容器本体１１は、該挿入部２１の該孔部２２への挿入又は引き出しを行いつつ、第１側壁１３及び第２側壁１４を立てる又は傾けるのみで、その形態を簡易に変化させることができる。
【００１４】
該容器本体１１に収容される収容物としては、和菓子、洋菓子、寿司等の食品が挙げられる。食品の場合、容器形態とした該容器本体１１に収容することによって、包装、運搬、搬送等するとともに、該食品を収容したまま該容器本体１１を皿形態とすることで、該食品の移し替え等の手間を省くことができる。食品の他、収容物としては、装飾品、人形、お香等の小物等が挙げられる。このような小物の場合、容器形態とした該容器本体１１に収容することによって、包装、運搬、搬送等するとともに、該小物を収容したまま該容器本体１１を皿形態とすることで、該小物をそのまま飾ったり、あるいは容器本体１１を受け皿としたり等することができる。
【００１５】
図２は、容器本体１１を展開した状態を示す平面図である。該容器本体１１は、シート材１１Ａを所定形状に切り出し、その切り出されたシート材１１Ａを折ることによって形成されている。なお、図２中において、該シート材１１Ａ上に画かれた鎖線は、谷折り線を示し、二点鎖線は山折り線を示している。
該シート材１１Ａは、容器本体１１とした場合に底壁１２となる部位を中心として構成されている。すなわち、該シート材１１Ａにおいて、底壁１２となる部位の図２中で左右側縁には、第１側壁１３となる部位がそれぞれ設けられている。該第１側壁１３となる部位の上下側縁には、挿入部２１となる部位がそれぞれ設けられている。底壁１２となる部位の図２中で上下側縁には、第２側壁１４となる部位がそれぞれ設けられている。該第２側壁１４となる部位の上側縁又は下側縁には、糊代部２３がそれぞれ設けられている。さらに、挿入部２１となる部位において、第２側壁１４となる部位から切り離された部位は、抜出規制手段を構成することとなる引掛部２４とされ、第２側壁１４となる部位の上半部又は下半部で左右側縁には、抜出規制手段を構成することとなる抜止部２５が設けられている。なお、第２側壁１４となる部位は、その中間に設けられた山折り線で２つ折りすることで第２側壁１４となり、その２つ折りされた部位の間に孔部２２が形成される。
【００１６】
該シート材１１Ａは、上記のように底壁１２となる部位を中心として構成することにより、切り出した後で可能な限り余剰が形成されないように配慮されている。さらに、該シート材１１Ａは、底壁１２となる部位を中心として構成することにより、外縁に入り食んだ箇所ができることを抑えた簡易な形状となる。このため、押し切り、プレス等の方法を用いても、切断不良の発生が抑えられ、歩留まりが良好なものとなり、大量生産に好適なものとなる。
該シート材１１Ａに使用する材料としては、ボール紙、コート紙、再生紙などの紙類、合成樹脂フィルム、合成樹脂シートなどの合成樹脂、布等が挙げられる。また、紙の表面に合成樹脂フィルム、あるいは布を貼り合わせる等してもよい。
さらに、該シート材１１Ａは、種々の印刷、着色などをすることにより、外観品質の向上を図ることができる。例えば、容器本体１１とした場合に外面となる部位を黒漆調、木調等の色調とし、その一方で内面となる部位を素焼き調、九谷焼き調、唐津焼き調等の陶磁器調の色調とすることにより、容器形態で漆器、木器の雰囲気を醸し出し、皿形態で陶磁器の雰囲気を醸し出すことが可能となる。
【００１７】
ここで、該シート材１１Ａからの該容器本体１１の組み立てについて説明する。
該シート材１１Ａから該容器本体１１を組み立てる場合、まず底壁１２となる部位に対し、第１側壁１３となる部位及び第２側壁１４となる部位が折り曲げられる。この結果、第１側壁１３は、底壁１２に繋がったまま、該折り曲げた箇所をヒンジ中心として、傾動自在となる。
【００１８】
図３（ａ）は、第２側壁１４を組み立てる状態を示す斜視図である。なお、図３（ａ）中では、第１側壁１３となる部位を省略している。
該第２側壁１４となる部位は、該容器本体１１の内側に配置されて内壁部１４Ａとなる部位と、該容器本体１１の外側に配置されて外壁部１４Ｂとなる部位とからなる。すなわち、該第２側壁１４となる部位は、抜出規制手段を構成する抜止部２５を内側に折り込みつつ、中間の山折り線で２つ折りし、シート材１１Ａの一部である内壁部１４Ａと外壁部１４Ｂを折り重ね、さらに糊代部２３を底壁１２の外面に貼着などして固定することで形成される。
【００１９】
図３（ｂ）は、第２側壁１４を組み立てた状態を示す側面図である。なお、図３（ｂ）中では、構成を分かりやすくするため、シート材１１Ａの厚みを厚く表現しており、また抜止部２５を省略している。
該孔部２２は、折り重ねられた該内壁部１４Ａと該外壁部１４Ｂの間に形成されている。また、糊代部２３を底壁１２の外面に固定した結果、該内壁部１４Ａと該外壁部１４Ｂは、それぞれが該底壁１２に繋がっており、該第２側壁１４は、該底壁１２に繋がった箇所を中心として、該底壁１２に対して傾動自在となる。
一方、該外壁部１４Ｂが該底壁１２に繋がる箇所Ｂ１は、該内壁部１４Ａが該底壁に繋がる箇所Ａ１よりも、該容器本体１１の内側に配置されている。このため、内壁部１４Ａの底壁１２に繋がる箇所Ａ１は、外壁部１４Ｂで底壁１２に繋がる箇所Ｂ１の近傍を、容器本体１１の外側へ向かって押している。さらに、該内壁部１４Ａが撓む一方、外壁部１４Ｂの底壁１２に繋がる箇所には、該外壁部１４Ｂを引っ張るような張力が生じている。結果、孔部２２が設けられた第２側壁１４は、容器本体１１を皿形態とした場合、傾いた状態で安定するようになっており、該皿形態を好適に維持することができる。
なお具体的には、第２側壁１４の上縁（外縁）をＣ１として、従来であればシート材の厚みを考慮して、Ｂ１−Ｃ１の長さをＡ１−Ｃ１の長さよりも若干長く設定している。本考案では、Ｂ１−Ｃ１の長さをＡ１−Ｃ１の長さと同一とする、あるいはＢ１の折り目がＡ１の折り目よりも若干容器本体１１の内側寄りとなるように、糊代部２３を底壁１２に貼り付けることで、Ｂ１をＡ１よりも該容器本体１１の内側に配置している。
【００２０】
図４（ａ）は、挿入部２１を孔部２２に挿入する状態を示す斜視図である。
該挿入部２１は、予め引掛部２４を容器本体１１の外側へ折り曲げた状態として、該孔部２２内に挿入される。該挿入部２１を該孔部２２内に挿入する際、引掛部２４は、該孔部２２内で抜止部２５を乗り越えるようにして、該孔部２２の内奥へ差し込まれる。
図４（ｂ）は、皿形態とした容器本体１１において、引掛部２４が抜止部２５に引っ掛かった状態を示す断面図である。なお、図４（ｂ）中では、構成を分かりやすくするため、シート材１１Ａの厚みを厚く、かつ孔部２２を広く表現している。
【００２１】
容器本体１１を皿形態とするべく第１側壁１３を容器本体１１の外側へ向かって傾けた場合、まず挿入部２１が孔部２２から抜け出す。この際、挿入部２１の端部に設けられた引掛部２４は、外壁部１４Ｂと抜止部２５との間に入り込むことにより、該挿入部２１が該孔部２２から所定程度抜け出した所で、該挿入部２１が該孔部２２から完全に抜け出すことを規制する。結果、引掛部２４及び抜止部２５からなる抜出規制手段は、該挿入部２１が該孔部２２から完全に抜け出して容器本体１１が分解することを防止し、該容器本体１１の皿形態を好適に維持する。
なお、孔部２２内において、抜止部２５は、外壁部１４Ｂに対して折り曲げて形成されているため、元の形状に復元しようとすることにより、外壁部１４Ｂとの間に引掛部２４が入り込む程度の間隙を常に形成している。引掛部２４もまた、挿入部２１に対して折り曲げて形成されているため、元の形状に復元しようとすることにより、挿入部２１との間に抜止部２５が入り込む程度の間隙を常に形成している。一方、抜止部２５及び引掛部２４は、内壁部１４Ａと外壁部１４Ｂとの間に挟まれることにより、完全に元の形状に復元しようとすることはかなわず、鉤状の形態に保持されている。
【００２２】
上記のように、本考案の収容容器１１においては、所定形状に切り抜かれたシート材１１Ａの所定箇所を曲げたうえ、２つの糊代部２３を底壁１２の外面にとめ、挿入部２１を孔部２２に挿入するのみで簡易に組み立てることができる。
【００２３】
（第２実施形態）
以下、本考案の収容容器を具体化した第２実施形態について説明する。なお、この第２実施形態では、第１実施形態と異なる点を中心に説明する。
図５は、第２実施形態の収容容器を示す斜視図である。収容容器１０は、容器本体１１と、さらに該容器本体１１の開口を塞ぐ蓋体３１とを備えている。なお、該容器本体１１は、上記第１実施形態と同じものである。
該蓋体３１は、天板３２と、該天板３２の周縁から垂下された各一対の第１周壁３３及び第２周壁３４とを有している。該第１周壁３３及び該第２周壁３４は、該天板３２に対し、それぞれ傾けることができるように繋がっている。
【００２４】
図６は、蓋体３１を展開した状態を示す平面図である。該蓋体３１は、シート材３１Ａを所定形状に切り出し、その切り出されたシート材１１Ａを折ることによって形成されている。なお、図６中において、該シート材３１Ａ上に画かれた鎖線は、谷折り線を示し、二点鎖線は山折り線を示している。
該シート材３１Ａは、蓋体３１とした場合に天板３２となる部位を中心として構成されている。すなわち、該シート材３１Ａにおいて、天板３２となる部位の図６中で上下側縁には、第１周壁３３となる部位がそれぞれ設けられている。該第１周壁３３となる部位の左右側縁には、止片３５となる部位がそれぞれ設けられている。底壁１２となる部位の図２中で左右側縁には、第２周壁３４となる部位がそれぞれ設けられている。該第２周壁３４となる部位の外縁角部には、山折り線３４Ａが設けられたうえで糊代部３６がそれぞれ設けられている。
【００２５】
該シート材３１Ａは、上記のように天板３２となる部位を中心として構成することにより、切り出した後で可能な限り余剰が形成されないように配慮されている。さらに、該シート材３１Ａは、天板３２となる部位を中心として構成することにより、外縁に入り食んだ箇所ができることを抑えた簡易な形状となる。このため、押し切り、プレス等の方法を用いても、切断不良の発生が抑えられ、歩留まりが良好なものとなり、大量生産に好適なものとなる。
該シート材３１Ａに使用する材料としては、前にシート材１１Ａで述べたように、ボール紙、コート紙、再生紙などの紙類、合成樹脂フィルム、合成樹脂シートなどの合成樹脂、布等が挙げられ、それぞれ単独で用いてもよく、また組み合わせて用いてもよい。
さらに、該シート材３１Ａは、種々の印刷、着色などをすることにより、外観品質の向上を図ることができる。例えば、容器本体１１に合わせて外面となる部位を黒漆調、木調等の色調としてもよい。
【００２６】
該シート材３１Ａからの該蓋体３１の組み立てについて説明する。
該シート材３１Ａから該蓋体３１を組み立てる場合、まず天板３２底となる部位に対し、第１周壁３３となる部位及び第２周壁３４となる部位が折り曲げられる。この結果、第１周壁３３及び第２周壁３４は、底壁１２に繋がったまま、該折り曲げた箇所をヒンジ中心として、傾動自在となる。
そして、止片３５となる部位を糊代部３６のみに貼り付ける。すなわち、従来は止片３５となる部位の全体を第２周壁３４となる部位に貼着する。これに対し、本考案では、止片３５となる部位を糊代部３６のみに貼り付ける。これにより、止片３５の貼着部位以外の箇所を、該蓋体３１の内側で容器本体１１の第１側壁１３又は第２側壁１４と当接する部位となる第２周壁３４の内面上から浮かしている。
【００２７】
図７（ａ）は、蓋体３１の底面図である。該蓋体３１において、止片３５は、糊代部３６から外れた箇所が第２周壁３４と貼着されていない。一方、糊代部３６の近傍には山折り線３４Ａが設けられており、該山折り線３４Ａの間に挟まれた第２周壁３４の中間部分は、該蓋体３１の内側に向かって若干傾いた状態となっている。このため、止片３５で第２周壁３４と貼着されていない箇所は、該第２周壁３４の内面から浮き上がるようにして、該蓋体３１の内側に向かって張り出すこととなる。結果、該蓋体３１を容器本体１１（図７（ａ）中に二点鎖線で示す）に装着した際、止片３５は、容器本体１１の第１側壁１３又は第２側壁１４の外面に圧接される。従って、蓋部３１を持って収容容器１０を持ち上げた状態において、容器本体１１が落下することを抑制することができる。
【００２８】
該蓋体３１は、必要に応じて折り畳むことが可能となっている。図７（ｂ）は、折り畳んだ蓋体３１の底面図である。該蓋体３１は、止片３５を糊代部３６のみに貼着することで、強度を保持しつつ、第１周壁３３及び第２周壁３４の傾動を阻害しないように構成されている。その結果、第１周壁３３及び第２周壁３４を蓋体３１の内側へ略９０゜傾けることが可能であり、例えば必要の無いとき等、蓋体３１を平板状に折り畳むことができるようになっている。
【００２９】
なお、上記の各実施形態は、次のように変更して具体化することも可能である。
抜出規制手段は、実施形態で挙げた構成に限らず、挿入部２１の孔部２２からの抜出しを規制可能な構成であれば何れの構成としてもよい。例えば、第２側壁を第１側壁１３と同様に１枚のシート材で形成し、かつ該第２側壁の両側に側片を差し出し、さらに該側片にスリット状の孔部を設け、該孔部に引掛部及び挿入部を挿入してもよい。また容器本体１１と蓋体３１は必ずしも１組とする必要はなく、所望に応じて個別に製造、販売、流通等させてもよい。また、容器本体１１は、平面視で四角形のものに限らず、平面視で三角形、五角形、六角形、八角形等としてもよい。
【図面の簡単な説明】
【００３０】
【図１】容器本体を示す斜視図。
【図２】容器本体の展開図。
【図３】（ａ）は第２側壁を組み立てる状態を示す斜視図、（ｂ）は第２側壁を示す側面図。
【図４】（ａ）は挿入部を孔部に挿入する状態を示す斜視図、（ｂ）は引掛部が抜止部に引っ掛かった状態を示す断面図。
【図５】容器本体に蓋体を装着する状態を示す斜視図。
【図６】蓋体の展開図。
【図７】（ａ）は蓋体の底面図、（ｂ）は折り畳んだ状態の蓋体の底面図。
【符号の説明】
【００３１】
１０    収容容器
１１    容器本体
１２    底壁
１３    第１側壁
１４    第２側壁
１４Ａ  内側壁
１４Ｂ  外側壁
２１    挿入部
２２    孔部
２４    引掛部
２５    抜止部
３１    蓋体
３５    止片
【図１】
0003131672.tif 000003
【図２】
0003131672.tif 000004
【図３】
0003131672.tif 000005
【図４】
0003131672.tif 000006
【図５】
0003131672.tif 000007
【図６】
0003131672.tif 000008
【図７】
0003131672.tif 000009